(57)【要約】【課題】従来よりもコストの上昇を抑えながら複数の共用部装置と住戸機との間で同時に通話可能とする。【解決手段】伝送線路は、４台のロビーインターホン２に接続される４系統の幹線Ｌ１1〜Ｌ１4と、各幹線Ｌ１1〜Ｌ１4から分岐されて通話切換器５を介して住戸機４に接続される４系統の住戸別線Ｌ２1〜Ｌ２4とを含む。通話切換器５における幹線Ｌ１1〜Ｌ１4の切換は、住戸機４に設けた電源供給部４９による直流電圧の供給をオン・オフすることで行っている。よって、従来例のように制御信号の受信回路や制御信号に応じてリレーなどを駆動制御する制御回路等を通話切換器５に備える必要が無く、従来よりもコストの上昇を抑えながら複数のロビーインターホン２と住戸機４との間で同時に通話することができる。【選択図】        図１
2006262185.tif 000002
【特許請求の範囲】
【請求項１】
集合住宅の共用玄関に設置され音声の入出力が可能な複数の共用部装置と、集合住宅の各住戸に設置され複数の共用部装置とはそれぞれ伝送線路を介して接続されるとともに各共用部装置が有する選択手段を来訪者が操作することにより選択されると該共用部装置との間で通信路を確立する複数の住戸機とを備え、伝送線路は、複数の共用部装置に各別に接続された複数の幹線と各幹線から分岐された複数の住戸別線とを含み、幹線及び住戸別線は、少なくとも選択手段の操作に伴って発生し通話の開始を指示する制御信号を伝送する制御線と、音声信号を伝送する通話線とからなり、複数の住戸別線に含まれる通話線の何れか一つを住戸機に択一的に切り換えて接続する通話切換器を有し、通話切換器は、複数の住戸別線の各通話線が接続される複数の切換接点と、住戸機に接続する共通接点と、非動作時に共通接点を何れかの切換接点に接続させるとともに住戸機から電源が供給される動作時には共通接点を他の何れかの切換接点に切換接続させるスイッチ要素とを備え、各共用部装置は、前記選択手段と、前記通信路を介して住戸機との間で通話を行うための通話手段とを備え、各住戸機は、前記通信路を介して共用部装置との間で通話を行うための通話手段と、伝送線路を介して前記制御信号を受信する制御信号受信手段と、制御信号受信手段で受信した制御信号に応じて通話切換器への電源供給をオン又はオフすることで選択元の共用部装置に接続された幹線から分岐されている住戸別線の通話線と通話手段を切換接続させる制御手段とを備えたことを特徴とする集合住宅用インターホンシステム。
【請求項２】
集合住宅の管理人室に設置され各住戸機とは伝送線路を介して接続される通話装置と、複数の幹線に含まれる通話線の何れか一つを通話装置に択一的に切り換えて接続する幹線切換器とを有し、幹線切換器は、複数の幹線の各通話線が接続される複数の切換接点と、通話装置に接続する共通接点と、非動作時に共通接点を何れかの切換接点に接続させるとともに通話装置から電源が供給される動作時には共通接点を他の何れかの切換接点に切換接続させるスイッチ要素とを備え、通話装置は、何れかの住戸機を選択する選択手段と、選択手段で選択された住戸機との間で確立される通信路を介して当該住戸機と通話するための通話手段と、選択手段の選択結果に応じて幹線切換器への電源供給をオン又はオフすることで通話相手の住戸機に接続された幹線の通話線と通話手段を切換接続させる制御手段とを備えたことを特徴とする請求項１記載の集合住宅用インターホンシステム。
【発明の詳細な説明】
【技術分野】
【０００１】
本発明は、集合住宅の共用玄関に設置された共用部装置と各住戸にそれぞれ設置される住戸機の何れか１台との間で択一的に通信路を確立して通話可能とする集合住宅用インターホンシステムに関するものである。
【背景技術】
【０００２】
従来、集合住宅の共用玄関に設置され音声の入出力が可能な共用部装置（ロビーインターホン）と、集合住宅の各住戸にそれぞれ設置され共用部装置とは伝送線路を介して接続されるとともに共用部装置が有する選択手段（テンキーなど）を来訪者が操作することにより選択されると共用部装置との間で通信路を確立する複数台の住戸機（インターホン親機や住宅情報盤など）と、集合住宅の各住戸にそれぞれ設置され住戸機とは通話用の子器接続線を介して接続されるドアホン子器とを備えた集合住宅用インターホンシステムが提供されている。なお、伝送線路は共用部装置に接続された幹線と幹線から分岐された複数の住戸別線とを含み、幹線及び住戸別線は、少なくとも選択手段の操作に伴って発生し通話の開始を指示する制御信号を伝送する制御線と、音声信号を伝送する通話線とからなる。
【０００３】
ところで、この種のシステムで最も簡易なものでは幹線が１系統しかなく、複数のロビーインターホンが設置される場合に何れか一つのロビーインターホンが通話している間は他のロビーインターホンが通話できないことになる。
【０００４】
そのために従来は、それぞれにロビーインターホンが接続された複数系統の幹線から分岐された複数系統の住戸別線と住戸機との間に通話切換器を設け、制御線を介して伝送される制御信号により通話切換器を制御して何れかの住戸別線の通話線を択一的に切り換えて住戸機に接続することにより、複数系統の幹線及び住戸別線を介して複数のロビーインターホンが同時に住戸機と通話できるようにしていた（例えば、特許文献１参照）。
【特許文献１】特開平１-１９６９５３号公報
【発明の開示】
【発明が解決しようとする課題】
【０００５】
しかしながら、上記従来システムでは、制御線を介して制御信号を受信する受信回路や受信した制御信号に基づいてリレーなどのスイッチ要素を駆動して住戸別線の切換接続を行う制御回路等を通話切換器に備える必要があったので、通話切換器が高価になってしまう。しかも、このように高価な通話切換器が複数の住戸機毎に必要であるから、システム全体のコストが大幅に上昇してしまうという問題があった。
【０００６】
本発明は上記事情に鑑みて為されたものであり、その目的は、従来よりもコストの上昇を抑えながら複数の共用部装置と住戸機との間で同時に通話することができる集合住宅用インターホンシステムを提供することにある。
【課題を解決するための手段】
【０００７】
請求項１の発明は、上記目的を達成するために、集合住宅の共用玄関に設置され音声の入出力が可能な複数の共用部装置と、集合住宅の各住戸に設置され複数の共用部装置とはそれぞれ伝送線路を介して接続されるとともに各共用部装置が有する選択手段を来訪者が操作することにより選択されると該共用部装置との間で通信路を確立する複数の住戸機とを備え、伝送線路は、複数の共用部装置に各別に接続された複数の幹線と各幹線から分岐された複数の住戸別線とを含み、幹線及び住戸別線は、少なくとも選択手段の操作に伴って発生し通話の開始を指示する制御信号を伝送する制御線と、音声信号を伝送する通話線とからなり、複数の住戸別線に含まれる通話線の何れか一つを住戸機に択一的に切り換えて接続する通話切換器を有し、通話切換器は、複数の住戸別線の各通話線が接続される複数の切換接点と、住戸機に接続する共通接点と、非動作時に共通接点を何れかの切換接点に接続させるとともに住戸機から電源が供給される動作時には共通接点を他の何れかの切換接点に切換接続させるスイッチ要素とを備え、各共用部装置は、前記選択手段と、前記通信路を介して住戸機との間で通話を行うための通話手段とを備え、各住戸機は、前記通信路を介して共用部装置との間で通話を行うための通話手段と、伝送線路を介して前記制御信号を受信する制御信号受信手段と、制御信号受信手段で受信した制御信号に応じて通話切換器への電源供給をオン又はオフすることで選択元の共用部装置に接続された幹線から分岐されている住戸別線の通話線と通話手段を切換接続させる制御手段とを備えたことを特徴とする。
【０００８】
請求項２の発明は、請求項１の発明において、集合住宅の管理人室に設置され各住戸機とは伝送線路を介して接続される通話装置と、複数の幹線に含まれる通話線の何れか一つを通話装置に択一的に切り換えて接続する幹線切換器とを有し、幹線切換器は、複数の幹線の各通話線が接続される複数の切換接点と、通話装置に接続する共通接点と、非動作時に共通接点を何れかの切換接点に接続させるとともに通話装置から電源が供給される動作時には共通接点を他の何れかの切換接点に切換接続させるスイッチ要素とを備え、通話装置は、何れかの住戸機を選択する選択手段と、選択手段で選択された住戸機との間で確立される通信路を介して当該住戸機と通話するための通話手段と、選択手段の選択結果に応じて幹線切換器への電源供給をオン又はオフすることで通話相手の住戸機に接続された幹線の通話線と通話手段を切換接続させる制御手段とを備えたことを特徴とする。
【発明の効果】
【０００９】
請求項１の発明によれば、制御信号受信手段で受信した制御信号に応じて住戸機の制御手段が通話切換器への電源供給をオン又はオフすることで選択元の共用部装置に接続された幹線から分岐されている住戸別線の通話線と通話手段を切換接続させるので、従来例のように制御信号の受信回路や制御信号に応じてリレーなどを駆動制御する制御回路等を通話切換器に備える必要が無く、従来よりもコストの上昇を抑えながら複数の共用部装置と住戸機との間で同時に通話することができる。
【００１０】
請求項２の発明によれば、請求項１の発明の効果に加えて、コストの上昇を抑えながら、共用部装置と住戸機の通話中においても管理人室に設置される通話装置と住戸機との間で同時に通話を行うことができる。
【発明を実施するための最良の形態】
【００１１】
以下、図面を参照して本発明の実施形態を詳細に説明する。
【００１２】
本実施形態のシステム構成例を図１に示す。本実施形態では、集合住宅の共用玄関等に設置される複数台の共用部装置（ロビーインターホン）２と、各住戸にそれぞれ設置される複数台（図示は４台のみ）の住戸機４とを備え、ロビーインターホン２と住戸機４とがそれぞれ伝送線路を介して接続されている。なお、複数台のロビーインターホン２及び住戸機４はそれぞれ同一の構成を有するものであるから、それぞれのロビーインターホン２並びに住戸機４を区別しないときは「ロビーインターホン２」、「住戸機４」と表記し、各ロビーインターホン２並びに住戸機４を区別するときは「ロビーインターホン２1」、「ロビーインターホン２2」、「ロビーインターホン２3」、「ロビーインターホン２4」並びに「住戸機４1」、「住戸機４2」、「住戸機４3」、「住戸機４4」と表記する。伝送線路は、４台のロビーインターホン２に接続される４系統の幹線Ｌ１1〜Ｌ１4と、各幹線Ｌ１1〜Ｌ１4から分岐されて後述する通話切換器５を介して住戸機４に接続される４系統の住戸別線Ｌ２1〜Ｌ２4とを含み、さらに集合住宅の管理人室に設置された通話装置（警報監視盤１）が幹線Ｌ１1〜Ｌ１4に接続される。この伝送線路としては、ペア線をシース内に備えるツイストペアケーブルを用いており、図示は省略するがロビーインターホン２と住戸機４との間で音声信号を伝送する複数系統（図示例では４系統）の通話線Ｌａと、ロビーインターホン２が有する選択手段（後述する）により選択された住戸機４を指定する制御信号を伝送する制御線Ｌｃとにそれぞれペア線を用いている。
【００１３】
図３に示すようにロビーインターホン２は、音声を入出力するマイクロホン２４ａ及びスピーカ２４ｂと、通話線Ｌａを介して住戸機４から伝送される音声信号を信号処理してスピーカ２４ｂに出力するとともにマイクロホン２４ａから入力する音声信号を信号処理して通話線Ｌａに送出することでハンズフリー通話を実現する通話処理部２５と、住戸番号を指定するための番号キーや呼出釦を有する操作スイッチ部２２と、操作スイッチ部２２で指定された住戸番号等を示す操作信号を送出するスイッチ入力部２３と、操作スイッチ部２２の操作を報知するための報知音等を生成してスピーカ２４ｂへ出力する報知音生成部２６と、ＣＰＵを主構成要素とし上記各部の動作を制御する制御部２０と、制御部２０と制御線Ｌｃのインタフェースを行う伝送送受信部２１とを備えている。つまり、来訪者が選択手段である操作スイッチ部２２の番号キーを操作して訪問先の住戸番号を選択した後に呼出釦を操作するとスイッチ入力部２３から制御部２０に操作信号が送出されて住戸番号に対応する住戸機４を選択したことになる。ここで、ロビーインターホン２の制御部２０では、選択された住戸番号に対応する住戸機４に対して自己に割り当てられている固有のアドレスを付加した制御信号（呼出コマンド）を制御線Ｌｃを介して送出する。
【００１４】
一方、住戸機４は、図２に示すように音声を入出力するマイクロホン４１ａ及びスピーカ４１ｂを備え、マイクロホン４１ａとスピーカ４１ｂとはそれぞれ通話処理部４２に接続されている。また、通話処理部４２には受話側並びに送話側の各伝送経路と２線の通話線Ｌａとを２線４線変換する２線４線変換部（図示せず）が接続されている。通話処理部４２は、通話線Ｌａを介して伝送されてくる音声信号（受話信号）とマイクロホン４１ａから出力される音声信号（送話信号）のレベルを比較することで通話状態（受話状態又は送話状態）を推定し、受話状態と推定したときには送話信号の伝送経路に損失を挿入し、送話状態と推定したときには受話信号の伝送経路に損失を挿入することで受話モードと送話モードを切り換える音声スイッチや、マイクロホン４１ａとスピーカ４１ｂの音響結合によって生じる音響エコーを消去するためのエコーキャンセラなどを具備する。但し、このような音声スイッチやエコーキャンセラは従来周知であるから詳細な構成及び動作の図示並びに説明は省略する。したがって、ロビーインターホン２と住戸機４との間で通話線Ｌａを通して音声信号を授受することができ、来訪者がロビーインターホン２を用いるとともに居住者が住戸機４を用いることによって、来訪者と居住者との間で音声通話が可能となる。
【００１５】
また住戸機４には、２系統の住戸別線Ｌ２ａ，Ｌ２ｂをそれぞれ通話信号（受話信号及び送話信号）の伝送線路（以下、「通話路」と呼ぶ。）に択一的に切り換えて接続する通話路切換部４５が設けられ、さらに通話路切換部４５と通話処理部４２との間の通話路には、通話処理部４２を通話路切換部４５と子器インタフェース部４４とに択一的に切り換えて接続するドアホン切換部４３が設けられている。子器インタフェース部４４には子器接続線Ｌ３を介してドアホン子器３が接続される。ドアホン子器３は集合住宅の各住戸の玄関先に配置されるものであってマイクロホン及びスピーカを備え、子器インタフェース部４４はドアホン子器３との通話のための音声双方向増幅回路や通話路を接続するための開閉路回路などを備える。したがって、ドアホン切換部４３が子器インタフェース部４４に切換接続されている状態ではドアホン子器３と住戸機４との間で子器接続線Ｌ３を介した通話が可能になっている。またドアホン子器３には呼出釦が設けられ、呼出釦が操作されたときに子器接続線Ｌ３に呼出信号を送出する機能を有し、住戸機４では呼出信号を検出したときに報知音生成部４６で生成された呼出音がスピーカ４１ｂから送出されるようになっている。
【００１６】
住戸機４には、ＣＰＵを主構成要素とし内部回路を制御する制御部４０が設けられ、制御部４０には制御線Ｌｃとのインタフェースとなる伝送送受信部４７が接続される。伝送送受信部４７は、制御部４０から出力された制御信号を制御線Ｌｃに送出し、制御線Ｌｃから受信した制御信号を制御部４０に引き渡す機能を有する。また住戸機４には、呼出に応答する際に操作される応答釦等を含む操作スイッチ部４８ａと、操作スイッチ部４８ａの操作に応じた操作入力を制御部４０に入力するスイッチ入力部４８ｂとが設けられる。さらに図示は省略するが、住戸機４には住戸内に設置される種々のセキュリティセンサ（火災感知器やガス漏れ感知器など）と制御部４０とのインタフェースが設けられている。つまり、住戸機４においては、セキュリティセンサから火災やガス漏れ等の異常発生を知らせる検知信号が制御部４０に入力されると、制御部４０が報知音生成部４６に対して異常発生を報知するための警報音や警報メッセージを生成させてスピーカ４１ｂから送出させるとともに、伝送送受信部４７から制御線Ｌｃを介して警報監視盤１に異常発生を報知するための制御信号を送信させ、警報監視盤１においても異常発生の警報を行うように構成されている。尚、このように通話機能とセキュリティ機能を有した住戸機４は特に住宅情報盤と呼ばれる。
【００１７】
ところで、ロビーインターホン２から送出された制御信号は制御線Ｌｃに接続されるすべての住戸機４に伝送される。ここに、住戸機４の制御部４０には個別にアドレス（たとえば、住戸番号）が設定されており、ロビーインターホン２において住戸機４のアドレスを選択することによって、住戸機４のアドレスを指定する制御信号（呼出コマンド）が制御線Ｌｃを介して全ての住戸機４に伝送することが可能になっている。住戸機４の制御部４０は、制御信号に含まれるアドレスが自己のアドレスであれば報知音生成部４６に生成させた報知音（呼出音）をスピーカ４１ｂから送出させる。そして、呼出音に応じて居住者が住戸機４の操作スイッチ部４８ａに設けられている応答釦を押操作すれば、制御部４０がドアホン切換部４３を制御して通話処理部４２を通話路切換部４５に切換接続するとともに、後述するように通話路切換部４５を制御して呼出元のロビーインターホン２が接続されている幹線Ｌ１k（ｋ＝１〜４の何れか）の通話線Ｌａに切換接続することによって通信路を確立し、呼出元のロビーインターホン２と選択された住戸機４との間でのみ通話可能にすることができる。尚、ロビーインターホン２において選択された住戸機４がロビーインターホン２との間で通信路を確立している状態は、呼出元のロビーインターホン２または住戸機４において適宜の操作釦を用いた通話終了が検出されると終了する。
【００１８】
また、ドアホン子器３の呼出釦が押操作されて子器接続線Ｌ３に呼出信号が送出されると、呼出信号を検出した住戸機４の制御部４０が報知音生成部４６に生成させた報知音（呼出音）をスピーカ４１ｂから送出させる。そして、呼出音に応じて居住者が住戸機４の応答釦４８ｂを押操作すれば、制御部４０がドアホン切換部４３を制御して通話処理部４２を子器インタフェース部４４に接続する状態に切り換えてドアホン子器３との間に通信路を確立することにより、ドアホン子器３と住戸機４との間で通話可能となる。
【００１９】
警報監視盤１は集合住宅の管理人室に設置されるものであって、図４に示すようにハンドセット１４ａを用いて通話するための通話処理部１４と、住戸機４の住戸番号を入力するための番号キー等を有する操作スイッチ部１２と、住戸機４における異常発生を報知するための警報音や警報メッセージを生成してスピーカ１５ａから送出する警報音生成部１５と、操作スイッチ部１２の操作に応じた操作入力を送出するスイッチ入力部１３と、ＣＰＵを主構成要素とし上記各部の動作を制御する制御部１０と、制御部１０と制御線Ｌｃのインタフェースを行う伝送送受信部１１と、２系統の通話線Ｌａ1，Ｌａ2をそれぞれ通話処理部１４に択一的に切り換えて接続する通話路切換部１６とが設けられ、通話線Ｌａ1，Ｌａ2を介して各住戸機４との間で通話を行う機能や、制御線Ｌｃを介して住戸機４から伝送される異常発生を報知するための制御信号を受信して警報を発する機能等を有している。例えば、管理人が操作スイッチ部１２を操作して住戸番号を入力した後に通話処理部１４のハンドセット１４ａを持ち上げてオフフックすると、入力された住戸番号に対応する住戸機４に対して制御部１０が制御信号（呼出コマンド）を生成し、伝送送受信部１１から制御線Ｌｃに送出させ、上述したロビーインターホン２と住戸機４との通話時と同様に、選択された住戸機４と警報監視盤１との間でのみ通話線Ｌａ1又はＬａ2を介した通話が可能となる。
【００２０】
ところで、住戸機４並びに警報監視盤１では通話路切換部４５，１６を設けることで２系統の幹線Ｌ１1，Ｌ１2に択一的に切換接続できるようになっているが、本実施形態では４系統の幹線Ｌ１1〜Ｌ１4に択一的に切換接続できるように住戸機４と幹線Ｌ１1〜Ｌ１4との間に通話切換器５を設けるとともに、警報監視盤１と幹線Ｌ１1〜Ｌ１4との間に幹線切換器５’を設けている。通話切換器５と幹線切換器５’とは同一構成のものであって、図５に示すように共通接点５１ａと２つの切換接点（常閉接点５１ｂ及び常開接点５１ｃ）を有する単安定型の２組のリレー５１1，５１2と、住戸機４に設けられた電源供給部４９又は警報監視盤１に設けられた電源供給部１７から給電線Ｌｄを介して供給される直流電源（直流電圧）を定電圧化して２組のリレー５１1，５１2の励磁コイルＬに励磁電流を流す定電圧回路５２とを備えている。すなわち、電源供給部４９，１７から直流電圧が供給されていないときは定電圧回路５２から励磁コイルＬに励磁電流が流れないために２組のリレー５１1，５１2が何れも動作せず、各リレー５１1，５１2は共通接点５１ａが常閉接点５１ｂに接続された状態を保持し、電源供給部４９，１７から直流電圧が供給されているときは定電圧回路５２から励磁コイルＬに励磁電流が流れるために２組のリレー５１1，５１2が何れも動作し、各リレー５１1，５１2は共通接点５１ａが常開接点５１ｃに接続される。従って、住戸機４の通話路切換部４５並びに警報監視盤１の通話路切換部１６と通話切換器５及び幹線切換器５’との組み合わせによって、４系統の幹線Ｌ１1〜Ｌ１4を住戸機４及び警報監視盤１に択一的に切換接続することができる。
【００２１】
次に、本実施形態において同時に複数台のロビーインターホン２が住戸機４と通話する際の動作、例えば、ロビーインターホン２1と住戸機４2とが通話しているときにロビーインターホン２2が新たに住戸機４1と通話する際の動作を説明する。
【００２２】
まず、来訪者がロビーインターホン２2の操作スイッチ部２２の番号キーを操作して訪問先の住戸番号（住戸機４1のアドレス）を選択した後に呼出釦を操作するとスイッチ入力部２３から制御部２０に操作信号が送出され、制御部２０が選択された住戸番号に対応する住戸機４1に対して自己に割り当てられている固有のアドレスを付加した制御信号（呼出コマンド）を制御線Ｌｃを介して送出する。
【００２３】
一方、呼出先の住戸機４1では、伝送送受信部４１で受信した制御信号に含まれるアドレスが自己のアドレスに一致した場合、制御部４０が報知音生成部４６に生成させた報知音（呼出音）をスピーカ４１ｂから送出させる。そして、呼出音に応じて居住者が住戸機４1の操作スイッチ部４８ａに設けられている応答釦を押操作すれば、制御部４０がドアホン切換部４３を制御して通話処理部４２を通話路切換部４５に切換接続し、さらに受信した制御信号に含まれる呼出元のアドレスに基づいてロビーインターホン２2が接続されている幹線Ｌ１2を判別する。この場合、制御部４０は通話路切換部４５を制御して幹線Ｌ１2に接続可能な住戸別線Ｌ２ａに切換接続するとともに、電源供給部４９から給電線Ｌｄを介して通話切換器５に直流電圧を供給させる。電源供給部４９から供給される直流電圧により定電圧回路５２が励磁コイルＬに励磁電流を流し、２組のリレー５１1，５１2がそれぞれ駆動されて共通接点５１ａが常閉接点５１ｂから常開接点５１ｃに切り換えられる。その結果、住戸機４1の通話処理部４２とロビーインターホン２2との間に幹線Ｌ１2、通話切換器５、住戸別線Ｌ２ａ、通話路切換部４５、ドアホン切換部４３を介した通信路が形成され、ロビーインターホン２2と住戸機４1とが通話可能となる。尚、ロビーインターホン２2と住戸機４1との間で通信路を確立している状態は、呼出元のロビーインターホン２2または住戸機４1において適宜の操作釦を用いた通話終了が検出されると終了する。ここで、通話が終了すると住戸機４1の制御部４０は電源供給部４９から給電線Ｌｄを介した直流電圧の供給を停止するので、通話切換器５では励磁コイルＬに励磁電流が流れなくなり、２組のリレー５１1，５１2が何れも駆動されなくなって共通接点５１ａが常閉接点５１ｂに接続された状態に復帰する。
【００２４】
続いて、ロビーインターホン２と住戸機４が通話しているときに警報監視盤１と住戸機４が通話する際の動作、例えば、ロビーインターホン２1と住戸機４1とが通話しているときに警報監視盤１が住戸機４2と通話する際の動作を説明する。
【００２５】
まず、ロビーインターホン２1と住戸機４1とが通話している場合、警報監視盤１ではロビーインターホン２1から送信される制御信号（呼出コマンド）を監視することでロビーインターホン２1が接続されている幹線Ｌ１1が使用中であることを制御部１０において把握している。そして、管理人が警報監視盤１の操作スイッチ部１２を操作して呼出先の住戸機４2の住戸番号を入力した後に通話処理部１４のハンドセット１４ａを持ち上げてオフフックすると、警報監視盤１の制御部１０は、現在使用中である幹線Ｌ１1を除く何れかの幹線Ｌ１（例えば、Ｌ１2）を指定する番号と、入力された住戸番号及び自己に割り当てられたアドレスとを含む制御信号（呼出コマンド）を生成し、伝送送受信部１１から制御線Ｌｃに送出させる。さらに制御部１０では、通話路切換部１６を制御して指定した幹線Ｌ１2に接続可能な通話線Ｌａ1に切換接続するとともに、電源供給部１７から給電線Ｌｄを介して幹線切換器５’に直流電圧を供給させる。電源供給部１７から供給される直流電圧により定電圧回路５２が励磁コイルＬに励磁電流を流し、２組のリレー５１1，５１2がそれぞれ駆動されて共通接点５１ａが常閉接点５１ｂから常開接点５１ｃに切り換えられる。その結果、警報監視盤１の通話処理部１４と指定した幹線Ｌ１2とが接続される。
【００２６】
一方、呼出先の住戸機４2では、伝送送受信部４１で受信した制御信号に含まれるアドレスが自己のアドレスに一致した場合、制御部４０が報知音生成部４６に生成させた報知音（呼出音）をスピーカ４１ｂから送出させる。そして、呼出音に応じて居住者が住戸機４2の操作スイッチ部４８ａに設けられている応答釦を押操作すれば、制御部４０がドアホン切換部４３を制御して通話処理部４２を通話路切換部４５に切換接続し、さらに受信した制御信号に含まれる指定番号に基づいて使用する幹線Ｌ１2を判別する。この場合、制御部４０は通話路切換部４５を制御して幹線Ｌ１2に接続可能な住戸別線Ｌ２ａに切換接続するとともに、電源供給部４９から給電線Ｌｄを介して通話切換器５に直流電圧を供給させる。電源供給部４９から供給される直流電圧により定電圧回路５２が励磁コイルＬに励磁電流を流し、２組のリレー５１1，５１2がそれぞれ駆動されて共通接点５１ａが常閉接点５１ｂから常開接点５１ｃに切り換えられる。その結果、住戸機４2の通話処理部４２と警報監視盤１との間に幹線切換器５’、幹線Ｌ１2、通話切換器５、住戸別線Ｌ２ａ、通話路切換部４５、ドアホン切換部４３を介した通信路が形成され、警報監視盤１と住戸機４2とが通話可能となる。尚、警報監視盤１と住戸機４2との間で通信路を確立している状態は、警報監視盤１または住戸機４2において適宜の操作釦を用いた通話終了が検出されると終了する。ここで、通話が終了すると警報監視盤１の制御部１０及び住戸機４1の制御部４０は電源供給部１７，４９から給電線Ｌｄを介した直流電圧の供給を停止するので、幹線切換器５’及び通話切換器５では励磁コイルＬに励磁電流が流れなくなり、２組のリレー５１1，５１2が何れも駆動されなくなって共通接点５１ａが常閉接点５１ｂに接続された状態に復帰する。
【００２７】
上述のように本実施形態によれば、２系統の幹線Ｌ１に接続可能な住戸機４及び警報監視盤１を通話切換器５並びに幹線切換器５’を用いて４系統の幹線Ｌ１1〜Ｌ１4に接続することが可能であり、しかも、通話切換器５及び幹線切換器５’における幹線Ｌ１1〜Ｌ１4の切換は、住戸機４及び警報監視盤１に設けた電源供給部４９，１７による直流電圧の供給をオン・オフすることで行っているので、従来例のように制御信号の受信回路や制御信号に応じてリレーなどを駆動制御する制御回路等を通話切換器５及び幹線切換器５’に備える必要が無く、従来よりもコストの上昇を抑えながら複数のロビーインターホン２と住戸機４との間で同時に通話することができるとともに、ロビーインターホン２と住戸機４との通話中に警報監視盤１と住戸機４との間においても同時に通話することができる。
【図面の簡単な説明】
【００２８】
【図１】本発明の実施形態を示すシステム構成図である。
【図２】同上における住戸機のブロック図である。
【図３】同上におけるロビーインターホンのブロック図である。
【図４】同上における警報監視盤のブロック図である。
【図５】同上における通話切換器及び幹線切換器のブロック図である。
【符号の説明】
【００２９】
１  警報監視盤
２  ロビーインターホン
４  住戸機
５  通話切換器
５’  幹線切換器
Ｌ１  幹線
Ｌ２  住戸別線
Ｌａ  通話線
Ｌｃ  制御線
【図１】
2006262185.tif 000003
【図２】
2006262185.tif 000004
【図３】
2006262185.tif 000005
【図４】
2006262185.tif 000006
【図５】
2006262185.tif 000007